(57)【要約】【課題】ヒータに接続したヒータ用リード線を容易かつ確実に支持することができるバッフル装置を提供すること。【解決手段】ダンパ装置１において、ヒータ用リード線８は、隔壁板２０の外周側端部に形成されたヒータ用リード線通路２５を通って駆動室６０側まで引き回されている。また、ヒータ用リード線８の途中部分は、ケース３の外面（ケース３の側板部３２１の外面）と隔壁板２０に形成された隔壁板側リード線支持部２６との間で支持されている。ヒータ用リード線８は、ケース３の側板部３２１の外面（凹部３３の底部３３０）に沿ってＸ方向に延在し、隔壁板側リード線支持部２６は、ヒータ用リード線８のうち、側板部３２１の外面に沿って延在している部分を支持している。【選択図】図２
2015210068.tif 000002
【特許請求の範囲】
【請求項１】
互いに直交する方向をＸ方向およびＹ方向とし、Ｘ方向およびＹ方向に対して直交する方向をＺ方向としたとき、
Ｚ方向に開口する開口部が形成されたフレームと、
前記開口部の周りで前記フレームに固定されたヒータと、
前記ヒータに電気的に接続された可撓性のヒータ用リード線と、
前記開口部を開閉するためのバッフルと、
前記開口部および前記バッフルに対して隔壁板を介してＸ方向の一方側で隣り合う駆動室に配置されたバッフル駆動機構と、
前記隔壁板にＸ方向の一方側から被さって前記隔壁板との間に前記駆動室を区画するケースと、
を有するダンパ装置において、
前記ヒータ用リード線は、前記隔壁板に形成されたヒータ用リード線通路を通って前記隔壁板のＸ方向の一方側で延在して前記ケースから外側に引き出されており、
前記隔壁板および前記ケースのうちの少なくとも一方は、前記ヒータ用リード線の途中部分を外面側から支持するリード線支持部を備えていることを特徴とするダンパ装置。
【請求項２】
前記隔壁板は、前記リード線支持部として、前記ケースの外面との間で前記ヒータ用リード線の途中部分を外面側から支持する隔壁板側リード線支持部を備えていることを特徴とする請求項１に記載のダンパ装置。
【請求項３】
前記ヒータ用リード線通路は、前記隔壁板の外周側端部に設けられていることを特徴とする請求項２に記載のダンパ装置。
【請求項４】
前記ヒータ用リード線通路は、少なくとも、Ｘ方向の他方側に向けて開口する第１通路と、該第１通路のＸ方向の一方側の端部からＹ方向に屈曲した第２通路と、該第２通路の前記第１通路側とは反対側の端部からＸ方向の一方側に屈曲した第３通路と、を備えていることを特徴とする請求項２または３に記載のダンパ装置。
【請求項５】
前記第３通路に前記隔壁板側リード線支持部が設けられていることを特徴とする請求項４に記載のダンパ装置。
【請求項６】
前記第２通路には、当該第２通路を部分的に狭くする凸部が形成されていることを特徴とする請求項４または５に記載のダンパ装置。
【請求項７】
前記ヒータ用リード線は、前記ケースの側板部の外面に沿ってＸ方向に延在し、
前記隔壁板側リード線支持部は、前記ヒータ用リード線のうち、前記側板部の外面に沿って延在している部分を支持していることを特徴とする請求項４乃至６の何れか一項に記載のダンパ装置。
【請求項８】
前記側板部と前記隔壁板側リード線支持部との間隔は、前記ヒータ用リード線の径より大であることを特徴とする請求項７に記載のダンパ装置。
【請求項９】
前記側板部のうち、前記ヒータ用リード線と重なる部分は前記駆動室の側に凹んだ凹部になっており、
前記リード線支持部は、Ｘ方向の他方側から前記凹部に挿入されて前記凹部の底部との間に前記ヒータ用リード線を支持していることを特徴とする請求項７または８に記載のダンパ装置。
【請求項１０】
前記凹部には、前記隔壁板側リード線支持部と係合して当該隔壁板側リード線支持部をＹ方向およびＺ方向に位置決めする係合部が形成されていることを特徴とする請求項９に記載のダンパ装置。
【請求項１１】
前記ケースには、前記リード線支持部として、前記ヒータ用リード線の途中部分を外面側から支持するケース側リード線支持部が形成されていることを特徴とする請求項１乃至１０の何れか一項に記載のダンパ装置。
【請求項１２】
前記ヒータ用リード線において前記隔壁板のＸ方向の他方側の面に沿って延在する引き回し部分は、前記ヒータとの接続位置より前記Ｘ方向の一方側を通っていることを特徴とする請求項１乃至１１の何れか一項に記載のダンパ装置。
【請求項１３】
前記ヒータ用リード線と前記ヒータとの接続は、前記ヒータ用リード線より剛性が大の端子を介して行われ、
前記端子は、前記ヒータとの接続位置より前記Ｘ方向の一方側に向けて変形していることを特徴とする請求項１２に記載のダンパ装置。
【請求項１４】
前記隔壁板は、前記フレームと一体に形成されていることを特徴とする請求項１乃至１３の何れか一項に記載のダンパ装置。
【発明の詳細な説明】
【技術分野】
【０００１】
本発明は、冷蔵庫の冷気通路等に用いられるダンパ装置に関するものである。
【背景技術】
【０００２】
冷蔵庫の冷気通路等に用いられるダンパ装置は、例えば、バッフル駆動機構によってバッフルを駆動してフレームに形成された開口部を開閉する構造が提案されている（特許文献１、２参照）。また、開口部の周囲で結露した水が凍ってフレームとバッフルとが氷結により吸着すると、バッフルを開方向に駆動できなくなる。そこで、フレームの開口部の周りに矩形枠状のヒータを設けることが提案されている（特許文献１、２参照）。
【先行技術文献】
【特許文献】
【０００３】
【特許文献１】特開平７−１９７０９公報
【特許文献２】中国実用新案公告号ＣＮ２０１９７３９９０Ｕ
【発明の概要】
【発明が解決しようとする課題】
【０００４】
特許文献１、２に記載のダンパ装置のように、ヒータを設けた場合、ヒータにヒータ用リード線を接続する必要がある。しかしながら、ヒータにヒータ用リード線を接続した場合には、ヒータ用リード線が引っ張られたとき、断線が発生するおそれがある。かといって、ケース等にヒータ線リード線をテープで固定した場合、作業に多大な手間がかかるとともに、テープが剥がれてヒータ線リード線が外れるという問題点がある。
【０００５】
以上の問題点に鑑みて、本発明の課題は、ヒータに接続したヒータ用リード線を容易かつ確実に支持することができるバッフル装置を提供することにある。
【課題を解決するための手段】
【０００６】
上記課題を解決するために、本発明は、互いに直交する方向をＸ方向およびＹ方向とし、Ｘ方向およびＹ方向に対して直交する方向をＺ方向としたとき、Ｚ方向に開口する開口部が形成されたフレームと、前記開口部の周りで前記フレームに固定されたヒータと、前記ヒータに電気的に接続された可撓性のヒータ用リード線と、前記開口部を開閉するためのバッフルと、前記開口部および前記バッフルに対して隔壁板を介してＸ方向の一方側で隣り合う駆動室に配置されたバッフル駆動機構と、前記隔壁板にＸ方向の一方側から被さって前記隔壁板との間に前記駆動室を区画するケースと、を有するダンパ装置において、前記ヒータ用リード線は、前記隔壁板に形成されたヒータ用リード線通路を通って前記隔壁板のＸ方向の一方側まで延在して前記ケースから外側に引き出されており、前記隔壁板および前記ケースのうちの少なくとも一方は、前記ヒータ用リード線の途中部分を外面側から支持するリード線支持部を備えていることを特徴とする。
【０００７】
本発明において、ヒータ用リード線の途中部分は、隔壁板およびケースのうちの少なくとも一方に形成されたリード線支持部によって外面側から支持されているため、ダンパ装置を組み立てる途中でヒータ用リード線が保持される。このため、ヒータ用リード線が引っ張られても、ヒータ用リード線が移動しにくい。従って、ヒータ用リード線に断線等が発生しにくい。また、ダンパ装置を組み立てる途中でヒータ用リード線が保持されるため、ヒータ用リード線の固定に多大な手間がかからない。また、テープ等によってヒータ用リード線を固定する場合と違って、ヒータ用リード線を確実に固定することができる。
【０００８】
本発明において、前記隔壁板は、前記リード線支持部として、前記ケースの外面との間で前記ヒータ用リード線の途中部分を外面側から支持する隔壁板側リード線支持部を備えていることが好ましい。
【０００９】
本発明において、前記ヒータ用リード線通路は、前記隔壁板の外周側端部に設けられていることが好ましい。かかる構成によれば、ヒータ用リード線の引き回しが容易である。
【００１０】
本発明において、前記ヒータ用リード線通路は、少なくとも、Ｘ方向の他方側に向けて開口する第１通路と、該第１通路のＸ方向の一方側の端部からＹ方向に屈曲した第２通路と、該第２通路の前記第１通路側とは反対側の端部からＸ方向の一方側に屈曲した第３通路と、を備えていることが好ましい。かかる構成によれば、ヒータ用リード線が引っ張られた場合でも、かかる力をヒータ用リード線通路が受け止めるため、ヒータ用リード線とヒータとの接続部分まで力が及びにくい。
【００１１】
本発明において、前記第３通路に前記隔壁板側リード線支持部が設けられていることが好ましい。かかる構成によれば、ヒータ用リード線がＸ方向に引っ張られた場合でも、かかる力をヒータ用リード線通路が受け止めるため、ヒータ用リード線とヒータとの接続部分まで力が及びにくい。
【００１２】
本発明において、前記第２通路には、当該第２通路を部分的に狭くする凸部が形成されていることが好ましい。かかる構成によれば、組み立ての際、ヒータ用リード線を第２通路に通した状態でヒータ用リード線が隔壁板に保持される。従って、以降の組み立て作業を行いやすい。
【００１３】
本発明において、前記ヒータ用リード線は、前記ケースの側板部の外面に沿ってＸ方向に延在し、前記隔壁板側リード線支持部は、前記ヒータ用リード線のうち、前記側板部の外面に沿って延在している部分を支持していることが好ましい。かかる構成によれば、ヒータ用リード線を安定してケースに固定しておくことができる。
【００１４】
本発明において、前記側板部と前記隔壁板側リード線支持部との間隔は、前記ヒータ用リード線の径より大であることが好ましい。かかる構成によれば、隔壁板とケースとを結合させる際、ケースと隔壁板側リード線支持部との間でヒータ用リード線が擦れない。従って、隔壁板とケースとを容易に結合させることができるとともに、ヒータ用リード線の絶縁被覆層が損傷しにくい。
【００１５】
本発明において、前記側板部のうち、前記ヒータ用リード線と重なる部分は前記駆動室の側に凹んだ凹部になっており、前記隔壁板側リード線支持部は、Ｘ方向の他方側から前記凹部に挿入されて前記凹部の底部との間に前記ヒータ用リード線を支持していることが好ましい。かかる構成によれば、ヒータ用リード線を安定してケースに固定しておくことができる。
【００１６】
本発明において、前記凹部には、前記隔壁板側リード線支持部と係合して当該リード線支持部をＹ方向およびＺ方向に位置決めする係合部が形成されていることが好ましい。かかる構成によれば、ヒータ用リード線を安定してケースに固定しておくことができる。
【００１７】
本発明において、ケースには、前記リード線支持部として、前記ヒータ用リード線の途中部分を支持するケース側リード線支持部が形成されていることが好ましい。
【００１８】
本発明において、前記ヒータ用リード線において前記隔壁板のＸ方向の他方側の面に沿って延在する引き回し部分は、前記ヒータとの接続位置より前記Ｘ方向の一方側を通って
いることが好ましい。かかる構成によれば、ヒータ用リード線とバッフルとが接触しにくい。
【００１９】
本発明において、前記ヒータ用リード線と前記ヒータとの接続は、前記ヒータ用リード線より剛性が大の端子を介して行われ、前記端子は、前記ヒータとの接続位置より前記Ｘ方向の一方側に向けて変形していることが好ましい。かかる構成によれば、ヒータ用リード線において隔壁板のＸ方向の他方側の面に沿って延在する部分の位置を規定しやすい。
【００２０】
本発明において、前記隔壁板は、前記フレームと一体に形成されていることが好ましい。かかる構成によれば、隔壁板とフレームとを別体にした場合に比して、組み立て効率が向上するとともに、部品点数を減らすことができる。
【発明の効果】
【００２１】
本発明において、ヒータ用リード線の途中部分は、隔壁板およびケースのうちの少なくとも一方に形成されたリード線支持部によって外面側から支持されているため、ダンパ装置を組み立てる途中でヒータ用リード線が保持される。このため、ヒータ用リード線が引っ張られても、ヒータ用リード線が移動しにくい。従って、ヒータ用リード線に断線等が発生しにくい。また、ダンパ装置を組み立てる途中でヒータ用リード線が保持されるため、ヒータ用リード線の固定に多大な手間がかからない。また、テープ等によってヒータ用リード線を固定する場合と違って、ヒータ用リード線を確実に固定することができる。
【図面の簡単な説明】
【００２２】
【図１】本発明を適用したダンパ装置をバッフルが配置されている側からみた斜視図である。
【図２】本発明を適用したダンパ装置をバッフルが配置されている側とは反対側からみた斜視図である。
【図３】本発明を適用したダンパ装置１のヒータ用リード線通路をＺ方向の他方側からみた斜視図である。
【図４】本発明を適用したダンパ装置においてヒータ用リード線が隔壁板に沿って延在している様子を示す説明図である。
【発明を実施するための形態】
【００２３】
以下、図面を参照して、本発明を適用した冷蔵庫用のダンパ装置について説明する。以下の説明では、バッフル４の回転中心軸線をＬとし、回転中心軸線Ｌに沿う方向をＸ方向とし、開口部が向いている方向をＺ方向とし、Ｘ方向およびＺ方向に直交する方向をＹ方向として説明する。また、Ｘ方向の一方側をＸ１とし、Ｘ方向の他方側をＸ２とし、Ｙ方向の一方側をＹ１とし、Ｙ方向の他方側をＹ２とし、Ｚ方向の一方側をＺ１とし、Ｚ方向の他方側をＺ２として説明する。
【００２４】
（全体構成）
図１は、本発明を適用したダンパ装置１をバッフル４が配置されている側からみた斜視図であり、図１（ａ）、（ｂ）、（ｃ）は、ダンパ装置１全体の斜視図、フレーム２とケース３とを分解した分解斜視図、およびバッフル４を取り外した分解斜視図である。図２は、本発明を適用したダンパ装置１をバッフル４が配置されている側とは反対側からみた斜視図であり、図２（ａ）、（ｂ）は、ダンパ装置１全体の斜視図、およびフレーム２とケース３とを分解した分解斜視図である。なお、図１および図２では、バッフル４が開口部２１０を閉状態とした状態を示してある。また、図１（ｂ）では、便宜的にヒータ用リード線８がケース３側に保持されているように表されているが、ケース３を隔壁板２０に結合させる際、ヒータ用リード線８は隔壁板２０側に保持されている。
【００２５】
図１および図２に示すように、本形態のダンパ装置１は、矩形の開口部２１０が形成されたフレーム２と、フレーム２の開口部２１０を開閉するためのバッフル４と、開口部２１０およびバッフル４に対して隔壁板２０を介してＸ方向の一方側Ｘ１で隣り合う駆動室６０に配置されたバッフル駆動機構６と、隔壁板２０にＸ方向の一方側Ｘ１から被さって隔壁板２０との間に駆動室６０を区画するケース３とを有している。本形態において、隔壁板２０とケース３とはフック機構３９によって結合されている。隔壁板２０には、Ｘ方向の一方側Ｘ１に突出してケース３と隔壁板２０との位置決めを行う軸部２９や、後述するモータ用リード線７を押さえる突起２８が形成されている。本形態において、フレーム２、隔壁板２０およびケース３は樹脂製である。
【００２６】
フレーム２は、開口部２１０が形成された矩形の端板部２１と、端板部２１の外縁からＺ方向の他方側Ｚ２に突出した角筒状の胴部２２とを有している。本形態において、隔壁板２０は、胴部２２においてＸ方向の一方側Ｘ１に位置する部分として構成されており、フレーム２と一体に形成されている。
【００２７】
端板部２１において開口部２１０の縁から、バッフル４が位置する側に向けて突出した角筒状のシール板部２３が形成されており、バッフル４は、シール板部２３に当接することにより、開口部２１０を閉状態とする。バッフル４は、開口部２１０よりサイズが大きな平板部４１を備えた開閉板４０と、開閉板４０の開口部２１０側の面に貼り付けられた発泡ポリウレタン等からなるシート状の弾性部材４９とを有しており、弾性部材４９が開口部２１０の周り（シール板部２３）に当接して開口部２１０を塞ぐ。
【００２８】
バッフル４は、Ｘ方向に延在する回転中心軸線Ｌ周りに回転可能にフレーム２に支持されており、バッフル駆動機構６は、回転中心軸線Ｌ周りにバッフル４を回転させて開口部２１０を開閉する。
【００２９】
本形態において、フレーム２の端板部２１においてバッフル４が位置する側の面には、開口部２１０（シール板部２３の周り）を囲むようにヒータ９が取り付けられている。本形態において、ヒータ９はシール状である。
【００３０】
かかるダンパ装置１は、冷気通路を構成するダクトの内側に配置される。ここで、冷気は、開口部２１０に対してバッフル４が配置されている側とは反対から開口部２１０を通って流れる。あるいは、開口部２１０に対してバッフル４が配置されている側から開口部２１０を通って流れることもある。
【００３１】
（バッフル駆動機構６の構成）
バッフル駆動機構６は、ケース３の内側に配置されたステッピングモータ６１と、ケース３の内側において、ステッピングモータ６１の回転をバッフル４に伝達するための輪列６５とを有している。ケース３は、底板部３１と、底板部３１から隔壁板２０の側に突出した角筒状の胴部３２とを有しており、胴部３２は、Ｚ方向で対向する側板部３２１、３２２と、Ｙ方向で対向する側板部３２３、３２４とを有している。底板部３１および胴部３２は、Ｘ方向からみたとき、Ｙ方向に長辺が延在し、Ｚ方向に短辺が延在する四角形である。ステッピングモータ６１は、フレーム２と隔壁板２０との間でケース３に保持されている。
【００３２】
輪列６５は、モータピニオンに噛合する大径歯車を備えた１番車６６と、１番車６６の小径歯車に噛合する大径歯車を備えた２番車６７と、２番車６７の小径歯車に噛合する大径歯車を備えた駆動歯車６８とを有している。従って、輪列６５において、１番車６６、２番車６７および駆動歯車６８は減速輪列を構成している。また、輪列６５は、駆動歯車６８と噛合して駆動歯車６８に従動する扇形歯車６９を有している。扇形歯車６９は、輪
列６５の最終段に位置する最終歯車（出力歯車）であり、バッフル４に連結されている。
【００３３】
このように構成したダンパ装置１において、ステッピングモータ６１には、計４本のモータ用リード線７が接続されている。モータ用リード線７は、駆動室６０の内部において、ステッピングモータ６１が配置されているＹ方向の一方側Ｙ１からＺ方向の他方側Ｚ２を通ってＹ方向の他方側Ｙ２まで引き回された後、Ｘ方向の一方側Ｘ１に向けて延在し、ケース３の外部に引き出されている。
【００３４】
また、ダンパ装置１において、ヒータ９には、計２本のヒータ用リード線８が接続されている。ヒータ用リード線８は、隔壁板２０に対してＸ方向の他方側Ｘ２（ヒータ９が配置されている側）でヒータ９に接続された後、隔壁板２０に形成されたヒータ用リード線通路２５を通って隔壁板２０に対してＸ方向の一方側Ｘ１に引き回された後、Ｘ方向の一方側Ｘ１に向けて延在し、ケース３の外部に引き出されている。かかるヒータ用リード線８は、モータ用リード線７と並列してＸ方向の一方側Ｘ１に向けて延在し、ケース３の外部に引き出されている。本形態において、ヒータ用リード線通路２５は、隔壁板２０の外周側端部に形成されている。
【００３５】
（モータ用リード線７およびヒータ用リード線８等の固定構造）
本形態では、ヒータ用リード線８をＸ方向の一方側Ｘ１に向けて延在させてケース３の外部に引き出すにあたって、隔壁板２０およびケース３のうちの少なくとも一方には、ヒータ用リード線８の途中部分を外面側から支持するリード線支持部が設けられている。本形態では、隔壁板２０には、ケース３の胴部３２の外面との間にヒータ用リード線８の途中部分を外面側から支持する隔壁板側リード線支持部２６が構成されている。より具体的には、ヒータ用リード線８は、ケース３の側板部３２１に沿ってＸ方向に延在し、隔壁板側リード線支持部２６は、ヒータ用リード線８に対してＺ方向の他方側Ｚ２（外面側）から被さって側板部３２１との間でヒータ用リード線８の途中部分を支持している。本形態では、モータ用リード線７をＸ方向の一方側Ｘ１に向けて延在させてケース３の外部に引き出すにあたっても、隔壁板２０の隔壁板側リード線支持部２６が、ケース３の胴部３２の外面との間にモータ用リード線７の途中部分を外面側から支持している。より具体的には、モータ用リード線７は、ケース３の側板部３２１に沿ってＸ方向に延在し、隔壁板側リード線支持部２６は、モータ用リード線７に対してＺ方向の他方側Ｚ２（外面側）から被さって、側板部３２１との間でモータ用リード線７の途中部分を支持している。
【００３６】
本形態においては、側板部３２１のうち、モータ用リード線７およびヒータ用リード線８と重なる部分は、駆動室６０の側に凹んだ凹部３３になっており、隔壁板側リード線支持部２６は、板状である。このため、ケース３を隔壁板２０にＸ方向の一方側Ｘ１から被せる際、隔壁板側リード線支持部２６は、Ｘ方向の他方側Ｘ２から凹部３３に挿入されて凹部３３の底部３３０との間にモータ用リード線７およびヒータ用リード線８を支持する。
【００３７】
隔壁板側リード線支持部２６は、Ｚ方向の他方側Ｚ２でモータ用リード線７およびヒータ用リード線８に被さる平板部２６１と、平板部２６１のＹ方向の両端からＺ方向の一方側Ｚ１に突出した突板部２６２とを有しており、２枚の突板部２６２は先端が各々、反対側に向けて曲がっている。一方、ケース３の凹部３３は、底部３３０のＹ方向の両端にＸ方向に延在する溝状の係合部３３１が形成されている。従って、隔壁板側リード線支持部２６が凹部３３に挿入された際、２枚の突板部２６２の先端が各々、ケース３の凹部３３に形成された溝状の係合部３３１に嵌る。その結果、隔壁板側リード線支持部２６は、Ｙ方向およびＺ方向に位置決めされる。それ故、隔壁板側リード線支持部２６の位置が確実に規定されているので、モータ用リード線７およびヒータ用リード線８を確実に固定することができる。
【００３８】
この状態で、側板部３２１と隔壁板側リード線支持部２６との間隔（凹部３３の底部３３０と平板部２６１との間隔）は、モータ用リード線７の径およびヒータ用リード線８の径より大である。このため、図２（ｂ）に示す状態で、隔壁板２０とケース３とを結合させる際、モータ用リード線７およびヒータ用リード線８が擦れない。従って、隔壁板２０とケース３とを容易に結合させることができるとともに、モータ用リード線７およびヒータ用リード線８の絶縁被覆層が損傷しにくい。
【００３９】
また、本形態では、ケース３の側板部３２１には、ヒータ用リード線通路２５にＺ方向の他方側Ｚ２から被さって隔壁板２０との間でモータ用リード線７の途中部分をＺ方向の他方側Ｚ２（外面側）から支持するケース側リード線支持部３４が形成されている。
【００４０】
（ヒータ用リード線通路２５等の構成）
図３は、本発明を適用したダンパ装置１のヒータ用リード線通路２５をＺ方向の他方側Ｚ２からみた斜視図であり、図３（ａ）、（ｂ）は、ヒータ用リード線８がある状態での斜視図、およびヒータ用リード線８がない状態での斜視図である。図４は、本発明を適用したダンパ装置１においてヒータ用リード線８が隔壁板２０に沿って延在している様子を示す説明図である。
【００４１】
図３に示すように、隔壁板２０には、隔壁板２０に対してＸ方向の他方側Ｘ２（ヒータ９が配置されている側）でヒータ９に接続されたヒータ用リード線８を、隔壁板２０を通ってＸ方向の一方側Ｘ１に導くヒータ用リード線通路２５が形成されている。本形態において、ヒータ用リード線通路２５は、隔壁板２０の外周側端部のうち、Ｚ方向の他方側Ｚ２の端部に設けられている。
【００４２】
ここで、ヒータ用リード線通路２５は、Ｘ方向の他方側Ｘ２に向けて開口する第１通路２５１と、第１通路２５１のＸ方向の一方側Ｘ１の端部からＹ方向の他方側Ｙ２に屈曲した第２通路２５２と、第２通路２５２の第１通路２５１側とは反対側の端部からＸ方向の一方側Ｘ１に屈曲した第３通路２５３とを備えており、第３通路２５３に隔壁板側リード線支持部２６が設けられている。第２通路２５２には、第２通路２５２を部分的に狭くする凸部２５５が形成されている。従って、Ｚ方向の他方側Ｚ２からヒータ用リード線通路２５にヒータ用リード線８を押し込んだ後、Ｙ方向の一方側Ｙ１から隔壁板側リード線支持部２６に対してＺ方向の一方側Ｚ１にヒータ用リード線８を潜らせれば、ヒータ用リード線８は、隔壁板２０に保持される。
【００４３】
この状態で、ヒータ用リード線８において、ヒータ９との接続部分からヒータ用リード線通路２５で保持された部分との間は、適度な緊張状態にある。また、ヒータ用リード線８は、可撓性であるが、適度な腰の強さも有している。従って、図４に示すように、ヒータ用リード線８において隔壁板２０のＸ方向の他方側Ｚ２の面に沿って延在する引き回し部分８６は、ヒータ９との接続位置９５（ヒータ９のランド）よりＸ方向の一方側Ｘ１を通った状態に維持されている。このため、ヒータ用リード線８とバッフル４とが接触しにくい。
【００４４】
本形態では、ヒータ用リード線８は、ヒータ９に直接接続されている。これに対して、ヒータ用リード線８とヒータ９との接続部分９０に、ヒータ用リード線８より剛性が大の金属製の端子９１を用いてもよく、この場合、端子９１は、ヒータ９との接続位置９５（ヒータ９のランド）よりＸ方向の一方側Ｘ１に向けて変形させておく。かかる構成によれば、ヒータ用リード線８において隔壁板２０のＸ方向の他方側Ｘ２の面に沿って延在する引き回し部分８６の位置を規定しやすいので、引き回し部分８６を確実にヒータ９との接続位置９５（ヒータ９のランド）よりＸ方向の一方側Ｘ１を通すことができる。このため
、ヒータ用リード線８とバッフル４とが接触しにくい。
【００４５】
（本形態の主な効果）
以上説明したように、本形態のダンパ装置１において、ヒータ用リード線の途中部分は、ケース３の外面（ケース３の側板部３２１の外面）と隔壁板２０の隔壁板側リード線支持部２６との間で支持されているため、ダンパ装置１を組み立てる途中でヒータ用リード線８が保持される。このため、ヒータ用リード線８が引っ張られても、ヒータ用リード線８が移動しにくい。従って、ヒータ用リード線８に断線等が発生しにくい。また、ダンパ装置１を組み立てる途中でヒータ用リード線８が保持されるため、ヒータ用リード線８の固定に多大な手間がかからない。また、ヒータ用リード線８ケース３は、隔壁板２０の隔壁板側リード線支持部２６との間で支持されているため、テープ等と違って、ヒータ用リード線８を確実に固定することができる。
【００４６】
また、ヒータ用リード線８は、ケース３の側板部３２１の外面に沿ってＸ方向に延在し、隔壁板側リード線支持部２６は、ヒータ用リード線８のうち、側板部３２１の外面に沿って延在している部分を支持している。このため、ヒータ用リード線８が支持されている長さが長いので、ヒータ用リード線８を安定してケース３に固定しておくことができる。
【００４７】
また、ヒータ用リード線通路２５は、隔壁板２０の外周側端部に設けられているため、穴にヒータ用リード線８を通す必要がないので、ヒータ用リード線８の引き回しが容易である。
【００４８】
また、ケース３には、ヒータ用リード線通路２５に被さってヒータ用リード線８の途中部分を支持するケース側リード線支持部３４が形成されているため、ヒータ用リード線８を確実に固定することができる。
【００４９】
また、ヒータ用リード線通路２５は、Ｘ方向の他方側Ｘ２に向けて開口する第１通路２５１と、第１通路のＸ方向の一方側Ｘ１の端部からＹ方向に屈曲した第２通路２５２と、第２通路２５２の第１通路２５１側とは反対側の端部からＸ方向の一方側Ｘ１に屈曲した第３通路２５３とを備えているため、ヒータ用リード線８がＸ方向の一方側Ｘ１に引っ張られた場合でも、かかる力をヒータ用リード線通路２５の屈曲部分が受け止める。従って、ヒータ用リード線８とヒータ９との接続位置９５まで力が及びにくいので、ヒータ用リード線８とヒータ９との接続が外れにくい。
【００５０】
また、第２通路２５２には、第２通路２５２を部分的に狭くする凸部２５５が形成されているため、組み立ての際、ヒータ用リード線８を第２通路２５２に通した状態でヒータ用リード線８が隔壁板２０に保持される。従って、以降の組み立て作業を行いやすい。
【００５１】
また、隔壁板２０は、フレーム２と一体に形成されているため、隔壁板とフレームとを別体にした場合に比して、組み立て効率が向上するとともに、部品点数を減らすことができる。
【００５２】
（その他の実施の形態）
上記実施の形態は、本発明の好適な実施の形態の例であるが、これに限定されるものではなく、本発明の要旨を逸脱しない範囲において、種々変形実施可能である。例えば、隔壁板２０がフレーム２と別体の場合に本発明を適用してもよい。また、上述した実施の形態におけるダンパ装置１は、冷蔵庫用であるが、必ずしも、冷蔵庫に用いられるダンパ装置に限定されるものではない。
【符号の説明】
【００５３】
１  ダンパ装置
２  フレーム
３  ケース
４  バッフル
６  バッフル駆動機構
７  モータ用リード線
８  ヒータ用リード線
９  ヒータ
２０  隔壁板
２５  ヒータ用リード線通路
２６  隔壁板側リード線支持部
３３  凹部
３４  ケース側リード線支持部
６０  駆動室
６１  ステッピングモータ
６５  輪列
８６  引き回し部分
９０  ヒータ用リード線とヒータとの接続部分
９１  端子
９５  ヒータ用リード線とヒータとの接続位置
２１０  開口部
２５１  第１通路
２５２  第２通路
２５３  第３通路
２５５  凸部
３２１〜３２４  側板部
３３０  凹部の底部
３３１  係合部
【図１】
2015210068.tif 000003
【図２】
2015210068.tif 000004
【図３】
2015210068.tif 000005
【図４】
2015210068.tif 000006